【事件の表示】
　平成１０年特許願第１８９８３６号「遊技機」拒絶査定不服審判事件〔平成１２年　１月１１日出願公開、特開２０００−　　５４２５〕について、次のとおり審決する。
【結　論】
　本件審判の請求は、成り立たない。
【理　由】
第１．手続の経緯等
　本願の手続の概要は、次のとおりである。
　
　平成１０年６月１９日　　　本願出願
　平成２０年６月　９日付け　拒絶理由通知
　平成２０年７月１８日　　　手続補正
　平成２１年１月１５日付け　拒絶理由通知（最後）
　平成２１年３月２７日　　　手続補正
　平成２１年４月１５日付け　補正却下の決定、拒絶査定
　平成２１年６月　１日　　　拒絶査定不服審判の請求、手続補正
　
第２．平成２１年６月１日付けの手続補正についての補正却下の決定
　
［補正却下の決定の結論］
　平成２１年６月１日付けの手続補正（以下、「本件補正」という。）を却下する。
　
［理由］
１．補正後の本願発明
　本件補正により、特許請求の範囲の請求項１は、
「複数の図柄を可変表示可能な複数の図柄表示部を図柄表示器に設け、
図柄変動信号により図柄表示部の図柄が変動を開始し、所定時間後に、図柄が確定表示する可変表示ゲームが行われ、その可変表示ゲームにはリーチアクションを実施後に大当たりになる場合とならない場合及び外れの場合がある遊技機であって、
　１個の入賞球に伴う図柄変動開始信号に基づいて、前記図柄表示器には図柄が疑似確定表示される制限回数を表示し、
　その後、前記図柄表示部の図柄が変動を開始し、所定時間後に、外れ図柄を複数回疑似確定表示する可変表示ゲームを前記制限回数まで実施した後に、前記図柄表示部に外れ図柄、又は大当たり図柄を確定表示することを特徴とする遊技機。」（以下、「本願補正発明」という。）と補正された。
　
　上記補正は、補正前の請求項１の「図柄を複数回疑似確定表示する可変表示ゲーム」との記載を「外れ図柄を複数回疑似確定表示する可変表示ゲーム」と限定するものであり、同「図柄を確定表示する」との記載を「前記図柄表示部に外れ図柄、又は大当たり図柄を確定表示する」と限定するものであり、平成１８年法律第５５号改正附則３条１項によりなお従前の例によるとされる同法による改正前の特許法１７条の２第４項２号の特許請求の範囲の減縮を目的とするものに該当する。
　そこで、本願補正発明が特許出願の際独立して特許を受けることができるものであるか（上記改正前の特許法１７条の２第５項において準用する同法１２６条５項の規定に適合するか）について以下に検討する。
　
２．引用文献について
  
　原査定の拒絶の理由に引用された特開平９−３１３６８４号公報（以下、「引用文献」という。）には、以下の事項が図面とともに記載されている。
　
・記載事項１
　「連設された３個の表示部を含む主表示部、及び１個の表示部を含む補助表示部で形成され表示状態が変化可能な可変表示手段と、前記主表示部のうちの左図柄表示部及び右図柄表示部により表示される変動後の停止図柄が所定当り図柄の一部を構成する待ち図柄となるとき、前記補助表示部の図柄の変動及び停止を行うとともに中図柄表示部の図柄の変動及び停止を行い、前記３個の表示部に表示される停止図柄が前記所定の当り図柄を構成しないとき、前記補助表示部の停止図柄の色、字句又は数字の意味するところに従って、前記中図柄表示部の図柄の再度の変動及び停止を行う図柄変動停止手段と、前記主表示部に表示される停止図柄が前記所定の当り図柄を構成するとき、遊技者にとって有利となる第１の状態、前記主表示部に表示される停止図柄が前記所定の当り図柄を構成しないとき、遊技者にとって不利となる第２の状態に変化可能な可変入賞手段と、を設けたことを特徴とする遊技機。」（【特許請求の範囲】【請求項４】）　　　
・記載事項２
　「液晶表示盤９は、画像処理装置からのデータを受け可変表示を行うダイナミック駆動方式のものであり、主表示部としての左ないし右図柄表示部５〜７が連設され、その上部に副表示部としての補助図柄表示部８が設けられているものである。画像処理装置３は、ＣＰＵ１０からの指令があると、必要な画像データを選択し、そのデータ処理を行い、特別図柄表示装置としての液晶表示盤９に図柄を変動表示及び停止表示するものである。」（段落【００１０】）
・記載事項３
　「次に、特別図柄表示装置としての液晶表示盤９について詳細に説明する。左ないし右図柄表示部５〜７は、それぞれ、「1」「2」「3」「4」の黄赤青緑の４種の色からなる１６種類の数字から構成される図柄配列からなっており、左から、特別図柄Ａを表示する左図柄表示部５、特別図柄Ｂを表示する中図柄表示部６、及び特別図柄Ｃを表示する右図柄表示部７の順序で連設された３桁の図柄配列を構成し、「111」〜「444」までの黄赤青緑のいずれかに着色された２５６種類の整数値の組合わせからなる３桁の特別図柄ＡＢＣが液晶表示盤９にスクロール変動表示及び停止表示がされるようになっている。図柄の停止は特別図柄Ａ、Ｃ、Ｂの順序に行われるように設定されている。」（段落【００１２】）
・記載事項４
　「次の本発明の特徴的な構成をなす、補助図柄表示部８と、それに表示される補助図柄Ｄの決定とについて説明する。補助図柄表示部８は、右図柄Ｃの停止時に、左図柄Ａと右図柄Ｃとが等しいとき（所謂リーチ時）に変動を開始し、中図柄Ｂが停止すると同時に停止するように設定されている。そして中図柄Ｂが大当りでない場合には、補助図柄Ｄの停止図柄の意味するところに従って再度中図柄Ｂが変動して中図柄Ｂが停止し、大当りとなることがあるように設定している。補助図柄表示部８には、「ドロー４」「ドロー２（赤）」「ドロー２（青）」「ドロー２（黄）」「ドロー２（緑）」「スキップ（赤）」「スキップ（青）」「スキップ（黄）」「スキップ（緑）」「リバース（赤）」「リバース（青）」「リバース（黄）」「リバース（緑）」「ワイルド」の１４種類の補助図柄Ｄがスクロール表示及びいずれか１つが停止表示されるようになっている。上記において、たとえば、「ドロー２（赤）」というのは、赤色に着色された「ドロー２」という文字である。「ドロー４」は中図柄Ｂを４駒進めさせるもの、「ドロー２」は、左、右図柄Ａ，Ｃの色と「ドロー２」の色とが同色であれば、中図柄Ｂを２駒進めさせるもの、「スキップ」は、左、右図柄Ａ，Ｃの色と「スキップ」の色とが同色であれば、ランダムに中図柄Ｂの駒を進めさせるもの、「リバース」は、左、右図柄Ａ，Ｃの色と「リバース」の色とが同色であれば、中図柄Ｂを１駒戻させるもの（１５駒進めることと同じ）、「ワイルド」は、その色が左、右図柄Ａ，Ｃの色以外の色であれば、左、右図柄Ａ，Ｃの色と同色の、中図柄Ｂ停止図柄の示す数字まで駒を進めさせるものである。・・・補助停止図柄Ｄの決定は、図５に示す通り、補助停止図柄決定カウンタ１５ｅに基づいてランダムに実行されるようになっている。ＣＰＵ１０は、これら乱数発生器としての補助停止図柄決定カウンタ１５ｅのカウント値を微小時間毎に読み込むこととしている。同様に図６に示すようにスキップ乱数が設定されており、スキップカウンタ１５fのカウント値0〜14に基づいてスキップの数を設定するようにしている。また、各決定乱数に対応して、補助停止図柄Ｄ、スキップ内容等のデータがＲＡＭ１２の所定のエリアに格納されている。」（段落【００１５】）
・記載事項５
　「一方、第１種始動口３２又は３３に打球が入賞すると、始動入賞球検出器３４がオン信号を発生するので、肯定判断され、特別図柄の当否決定カウンタ１５ａのカウント値、即ち、設定１の場合0〜391、設定２の場合0〜421、設定３の場合0〜447のいずれか１つを取り出して、ＲＡＭ１２に格納する（S101）。そして液晶表示盤９への図柄の変動表示、スピーカ２３からの音声出力、各種ＬＥＤ２９ａ〜２９ｃのオン等の開始を指示し、続いて液晶表示盤９における特別図柄表示の変動開始から微小時間が経過してから、ＲＡＭ１２に格納された前述のカウント値を取り出し、その数値が図２に示す大当り数値に該当するかどうか判断し、該当する場合には、大当り、非該当の場合には外れを判断する（S102）。・・・そして、大当りの場合には左停止図柄決定カウンタ１５ｂのカウント値0〜15からランダムに１つの数値を選択し、このカウント値に応じて対応する１つの大当り図柄を図３に基づいて決定する（S103）。」（段落【００２３】）
・記載事項６
　「次に液晶表示盤９の左図柄表示部５、右図柄表示部７の順序で停止させて所謂リーチ表示をさせるとともに、補助図柄Ｄが変動表示を開始する（S104）。そして、図１０に示す中図柄及び補助図柄の変動停止ルーチン処理にジャンプし、所定時間後に中図柄Ｂ及び補助図柄Ｄを停止させ、補助図柄Ｄの意味するところに従って、再度、中図柄Ｂの変動及び停止をさせる（S105）。この特徴的な処理については後に詳述する。こうして特定遊技状態となり、画像処理装置３から大当りの画像データを読みだし、液晶表示盤９への前述の大当りに対応する特別図柄表示を行うとともに、スピーカ２３からの大当り音の出力、各種ＬＥＤ２９ａ〜２９ｃのオン等を指示するとともに、大入賞口３６を所定時間開放し、その間、遊技領域２４を落下する打球を特定領域３７内に受け入れる等の前述した大当り処理を行う（ステップS106）。」（段落【００２４】）
・記載事項７
　「一方、S102において否定判断されると、所定の外れ処理（S108〜S113）を行い、処理はリターンに抜ける。すなわち、外れの場合には前述の外れ停止図柄決定カウンタ１５ｂ〜ｄのカウント値の数値からランダムに１つの数値を選択し、このカウント値に応じて対応する外れ停止図柄を決定する（S108）。次にリーチ表示であるか否か、すなわち左図柄Ａと右図柄Ｃの色と数字が同一であるか否か判断し（S109）、肯定判断された場合には、リーチ表示を行い（S110）、補助図柄Ｄの変動を開始させ、前述の図１０のサブル―チンを実行し、前記で説明したように、中図柄Ｂ及び補助図柄Ｄの変動及び停止を行う（S111）。一方、 S109で否定判断された場合には、単に特別図柄ＡＢＣの変動停止を行うだけであり、補助図柄Ｄの意味するところに従って中図柄Ｂの再度の変動は行わない（S112）。次に所定の外れ処理（S113）を行いリターンに抜ける。」（段落【００２５】）
・記載事項８
　「他の実施形態としては、上述の実施形態と同様の構成とされ、図１０のサブルーチンに代えて、補助図柄Ｄの表示態様を図１１(a)を図１１(b)に変更したものがある。その詳細については図示及び説明を割愛するが、図１１(b)に示す通り、補助図柄Ｄは、「星」「チャンス１」「チャンス２」「チャンス３」の４つの図柄から構成されており、「星」で停止した場合には、外れを意味し、中図柄Ｂの再度の変動は行わず、「チャンス１」で停止した場合には、大当りでない場合再度変動して停止し、「チャンス２」で停止した場合には、チャンス１と同様の動作を２回繰り返し、「チャンス３」で停止した場合には、チャンス１と同様の動作を３回繰り返すようにしているものである。この実施態様では、外れを設定するとともに、補助図柄の数字の意味するところに従って、中図柄Ｂを再度変動させることが特徴となっている。なお、上記回数設定については最大３回に限定されず、その上限を増加することも可能である。」（段落【００２９】）
　
　「他の実施形態」（記載事項８参照）としての構成を採用し、上記各記載事項を含む全記載及び図示によれば、引用文献には次の発明が記載されていると認められる。
　
　「特別図柄Ａ，Ｂ，Ｃがスクロール変動表示及び停止表示がされるようになっている、主表示部としての左ないし右図柄表示部５〜７が連設され、その上部に副表示部としての補助図柄表示部８が設けられた液晶表示盤９を備え、
　始動入賞球検出器３４がオン信号を発生すると、液晶表示盤９への特別図柄Ａ，Ｂ，Ｃの変動表示の開始を指示し、特別図柄の当否決定カウンタ１５ａから取り出されてＲＡＭ１２に格納されたカウント値が大当り数値に該当する場合には、１つの大当り図柄を決定して左図柄表示部５、右図柄表示部７の順序で停止させて所謂リーチ表示をさせ、所定時間後に中図柄Ｂを停止させ、大当り処理を行うとともに、前記ＲＡＭ１２に格納されたカウント値が大当り数値に該当しない場合には、外れ停止図柄を決定し、左図柄Ａと右図柄Ｃが同一であれば、リーチ表示を行い中図柄Ｂを停止させ、所定の外れ処理を行う遊技機であって、
　リーチ表示となるとき、液晶表示盤９の補助図柄表示部８の補助図柄Ｄの変動を開始させ、所定時間後に中図柄Ｂ及び補助図柄Ｄを停止させ、補助図柄Ｄの意味するところに従って、再度、中図柄Ｂの変動及び停止をさせるものであって、
　補助図柄Ｄは、「星」「チャンス１」「チャンス２」「チャンス３」の４つの図柄から構成されており、「星」で停止した場合には、外れを意味し、中図柄Ｂの再度の変動は行わず、「チャンス１」で停止した場合には、大当り図柄でない場合再度変動して停止し、「チャンス２」で停止した場合には、チャンス１と同様の動作を２回繰り返し、「チャンス３」で停止した場合には、チャンス１と同様の動作を３回繰り返すようにした、遊技機。」（以下、「引用発明」という。）
　
３．対比
　本願補正発明と引用発明を対比すると、
　引用発明の「特別図柄Ａ，Ｂ，Ｃ」は本願補正発明の「複数の図柄」に相当し、以下同様に、「スクロール変動表示及び停止表示がされるようになっている」は「可変表示可能な」に、「左ないし右図柄表示部５〜７」は「複数の図柄表示部」に、「液晶表示盤９」は「図柄表示器」に、それぞれ相当する。
　そして、引用発明について、以下のことがいえる。
（１）「特別図柄Ａ，Ｂ，Ｃがスクロール変動表示及び停止表示がされるようになっている」「左ないし右図柄表示部５〜７が連設され」た「液晶表示盤９」は、本願補正発明の「複数の図柄を可変表示可能な複数の図柄表示部を図柄表示器に設け、」に相当する。
（２）「液晶表示盤９への特別図柄Ａ，Ｂ，Ｃの変動表示の開始を指示」するということは、特別図柄Ａ，Ｂ，Ｃの変動を開始させる信号を液晶表示盤９へ送信していることは自明であって、当該信号は本願補正発明の「図柄変動信号」及び「図柄変動開始信号」に相当する。また、大当り処理又は外れ処理が行われる直前において、中図柄Ｂが停止した状態は、当該状態の図柄に対応して大当り処理又は外れ処理が行われるものであって、本願補正発明の「図柄が確定表示する」に相当する。そして、特別図柄Ａ，Ｂ，Ｃが変動を開始し、所定時間後に「図柄が確定表示する」までの変動表示は、本願補正発明の「可変表示ゲーム」に相当する。そして、引用発明では、「リーチ表示」が行われた後、「大当り」になる場合と「外れ」になる場合があるが、本願補正発明では「リーチアクションを実施する」以上、少なくとも「リーチ表示」があることは自明である。
　そうすると、「リーチアクション」があるか否かは別にして、引用発明と本願補正発明は、「図柄変動信号により図柄表示部の図柄が変動を開始し、所定時間後に、図柄が確定表示する可変表示ゲームが行われ、その可変表示ゲームにはリーチ表示を実施後に大当たりになる場合とならない場合及び外れの場合がある」である点で共通している。
（３）「補助図柄Ｄの意味するところに従って、再度、中図柄Ｂの変動及び停止をさせる」ものであり、再度変動させる前の中図柄Ｂの停止は、「確定表示」とは異なるものの停止するという点では似ているものであるから、本願補正発明の「疑似確定表示」に相当する。
　また、補助図柄Ｄの「星」「チャンス１」「チャンス２」「チャンス３」は、再度の変動を０回、１回、２回、３回行うことを意味しており、上記のように再度の変動の前には「疑似確定表示」が行われるから、補助図柄Ｄは「疑似確定表示される回数」を表示するものということができ、当該回数は本願補正発明の「制限回数」に相当する。そして、当該疑似確定表示が「制限回数」行われるのは始動入賞に基づいて特別図柄Ａ，Ｂ，Ｃのスクロール変動表示が開始された後確定表示が行われるまでの間であるから、１個の始動入賞球に基づいて制限回数の疑似確定表示が行われるということができる。
　そうすると、引用発明と本願補正発明は、「１個の入賞球に基づいて、図柄表示器には図柄が疑似確定表示される制限回数を表示し、」という点で共通している。
（４）例えば、「チャンス２」が表示される場合は、始動入賞に基づき、特別図柄Ａ，Ｂ，Ｃが変動を開始し、所定時間後に全図柄Ａ，Ｂ，Ｃが停止して疑似確定表示が行われ、次に中図柄Ｂが再度変動して停止し疑似確定表示が行われ、更に中図柄Ｂが再度変動して停止し確定表示が行われ、大当り又は外れとなる。ここで、中図柄Ｂが再度変動するのは「大当り図柄でない場合」であるから、疑似確定表示時には「外れ図柄」が表示されており、また、左右図柄Ａ，Ｃが停止して中図柄Ｂのみが変動する場合も「図柄が変動を開始」ということができる。更に、大当り又は外れとなるということは、確定表示時に外れ図柄又は大当たり図柄が表示されることである。
　そうすると、「特別図柄Ａ，Ｂ，Ｃが変動を開始し、所定時間後に全図柄Ａ，Ｂ，Ｃが停止して疑似確定表示が行われ」及び「次に中図柄Ｂが再度変動して停止し疑似確定表示が行われ」は本願補正発明の「図柄が変動を開始し、所定時間後に、外れ図柄を複数回疑似確定表示する可変表示ゲーム」に相当し、「中図柄Ｂが再度変動して停止し確定表示が行われる」は本願補正発明の「図柄表示部に外れ図柄、又は大当たり図柄を確定表示する」に相当する。
　以上により、引用発明は、本願補正発明の「図柄表示部の図柄が変動を開始し、所定時間後に、外れ図柄を複数回疑似確定表示する可変表示ゲームを制限回数まで実施した後に、図柄表示部に外れ図柄、又は大当たり図柄を確定表示する」に相当する構成を実質的に具備するものである。
　
　そうすると、本願補正発明と引用発明は、
「複数の図柄を可変表示可能な複数の図柄表示部を図柄表示器に設け、
図柄変動信号により図柄表示部の図柄が変動を開始し、所定時間後に、図柄が確定表示する可変表示ゲームが行われ、その可変表示ゲームにはリーチ表示を実施後に大当たりになる場合とならない場合及び外れの場合がある遊技機であって
　１個の入賞球に基づいて、図柄表示器には図柄が疑似確定表示される制限回数を表示し、
　図柄表示部の図柄が変動を開始し、所定時間後に、外れ図柄を複数回疑似確定表示する可変表示ゲームを制限回数まで実施した後に、図柄表示部に外れ図柄、又は大当たり図柄を確定表示する遊技機」である点で一致し、以下の点で相違する。
　
＜相違点１＞
　リーチ表示の実施時に、本願補正発明はリーチアクションを実施するのに対して、引用発明ではそのような構成を有するか不明である点。
＜相違点２＞
　制限回数の表示が、本願補正発明では、図柄変動開始信号に基づいて行われ、その後、図柄が変動を開始するのに対し、引用発明では、図柄が変動を開始してリーチ表示となった後、最初に中図柄Ｂが停止した時に行われる点。
　　　
４．判断
　上記相違点に検討する。
（１）相違点１について
　図柄をゆっくり変動させたり、図柄の背景、ランプ、ＬＥＤ、音を通常時と異ならせる等のリーチアクションをリーチ時に実施することは、遊技機において慣用手段である。
　そうすると、引用発明において、リーチ表示の実施時にリーチアクションを実施することとし、相違点１に係る本願補正発明の構成とすることは当業者にとって想到容易である。
（２）相違点２について
　疑似確定表示される回数の報知をいつ行うかは、演出上の効果を考慮しつつ、適宜決定すればよいものであることは明らかであり、また、図柄変動を開始する前に停止図柄に関する報知を行うことは従来周知（周知例として拒絶理由通知に引用された特開平９−５６８９３号公報（段落００３９）参照）である。
　また、図柄変動開始信号に基づいて行うことに何ら技術的困難性はない。
　そうすると、引用発明において、制限回数の表示を図柄変動開始信号に基づいて行うこととし、その後、図柄変動を開始させ、相違点２に係る本願補正発明の構成とすることは当業者にとって想到容易である。　
　そして、本願補正発明の効果は、引用発明、上記周知技術から当業者が予測できる範囲のものである。
　
　したがって、本願補正発明は、引用発明、上記周知技術に基づいて、当業者が容易に発明をすることができたものであるから、特許法２９条２項の規定により特許出願の際独立して特許を受けることができないものである。
　
５．むすび
　以上のとおり、本件補正は、上記改正前の特許法１７条の２第５項で準用する同法１２６条第５項の規定に違反するものであり、同法１５９条第１項で準用する同法５３条第１項の規定により却下されるべきものである。
　
６．予備的検討
　請求人は平成２０年７月１８日付け意見書、審判請求書において、上記引用文献に開示の発明は「最後の図柄のみを再変動する」という発明であり、本願発明は「「全図柄変動から、最終停止図柄を停止する」という可変表示ゲームを」「制限回数に到るまで行うことを報知する発明」である旨、主張している。また、平成２２年２月１６日付け回答書において、「前記図柄表示部の
全図柄
全ての図柄が停止して
　そして、上記のように、本願補正発明は独立して特許を受けることができないものであるが、上記主張、補正案について、予備的に検討する。
　本願補正発明は、「前記図柄表示部の図柄が変動を開始し、所定時間後に、外れ図柄を複数回疑似確定表示する可変表示ゲームを前記制限回数まで実施した後に、前記図柄表示部に外れ図柄、又は大当たり図柄を確定表示する」というものであり、可変表示ゲームにおいて変動を開始して停止するものは「図柄」であって、この「図柄」が「全図柄」であるとも「全ての図柄」であるとも記載されておらず、このように限定して解釈すべき特段の事情もない。そうすると、可変表示ゲームにおいて変動を開始して停止する「図柄」は、「図柄」であればよいのであって、この点において本願補正発明と引用発明に差異はない。
　仮に、「図柄」を「全図柄」と解釈すべきとした場合、補正案を採用した場合について検討すると、一旦疑似確定表示された全図柄を再変動させることは、特開平１０−３３７７４号公報における「リーチ４」、「コマコマ倶楽部，パチンコ必勝ガイド，株式会社白夜書房，１９９５年６月２日，Ｐ１５−１６」に示されるように、従来周知の技術手段である。そうすると、引用発明において、再変動する中図柄Ｂに加えて左右図柄Ａ，Ｃも再変動させることは、当業者であれば容易に想到する程度のことである。
　
第３．本願発明について
１．本願発明の認定
　平成２１年６月１日の手続補正は上記のとおり却下されたので、本願の請求項１に係る発明（以下、「本願発明」という。）は、平成２０年７月１８日付けの手続補正書の特許請求の範囲の請求項１に記載された事項により特定される、以下のとおりのものである。なお、平成２１年３月２７日の手続補正は、前審において却下されている。
　「複数の図柄を可変表示可能な複数の図柄表示部を図柄表示器に設け、
図柄変動信号により図柄表示部の図柄が変動を開始し、所定時間後に、図柄が確定表示する可変表示ゲームが行われ、その可変表示ゲームにはリーチアクションを実施後に大当たりになる場合とならない場合及び外れの場合がある遊技機であって、
　１個の入賞球に伴う図柄変動開始信号に基づいて、前記図柄表示器には図柄が疑似確定表示される制限回数を表示し、
　その後、前記図柄表示部の図柄が変動を開始し、所定時間後に、図柄を複数回の疑似確定表示する可変表示ゲームを前記制限回数まで実施した後に、図柄を確定表示することを特徴とする遊技機。」　
　
２．本願発明の進歩性の判断
（１）引用文献
　拒絶の理由に引用された引用文献及びその記載事項は、前記第２の２．に記載したとおりである。　
　
（２）対比・判断
　本願発明は、前記第２で検討した本願補正発明から、前記第２の「［理由］１．」に記載した限定を戻したものである。
　そうすると、本願発明の構成をすべて含み、さらに他の構成要件を付加したものに相当する本願補正発明が、前記第２の４．に記載したとおり、引用発明、上記周知技術に基づいて当業者が容易に発明をすることができたものであるから、本願発明も同様の理由により、引用発明に基づいて当業者が容易に発明をすることができたものである。　
　
第４．むすび
　以上のとおり、本願発明は、引用発明及び上記周知技術に基づいて、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。